(57)【特許請求の範囲】
【請求項１】
上下の外装材の接続箇所の一方に嵌合凸部を、他方に嵌合凹部を形成した外装材の施工構造であって、家屋の壁面の一部分に施工される上下の外装材は断熱材の表に金属外皮を備え、少なくとも一方の外装材の接続端部を切断して上下の外装材の間に隙間を形成し、下の外装材は金属外皮を残して一部の断熱材が除去されて切断され、残された金属外皮が折り曲げられて断熱材の除去端面を覆っており、上記隙間において下の外装材の上端部を覆うとともに上の外装材と下地材とに間に挿入される挿入片を備えた水切りを施工し、隙間及び水切りを覆って上下の外装材の接続箇所に化粧カバー材を施工して成ることを特徴とする外装材の施工構造。
【請求項２】
上下の外装材の接続箇所の一方に嵌合凸部を、他方に嵌合凹部を形成した外装材の施工構造であって、家屋の壁面の一部分に施工される上下の外装材は断熱材の表に金属外皮を備え、少なくとも一方の外装材の接続端部を切断して上下の外装材の間に隙間を形成し、上の外装材は金属外皮を残して一部の断熱材が除去されて切断され、残された金属外皮が折り曲げられて断熱材の除去端面を覆っており、上記隙間において下の外装材の上端部を覆うとともに上の外装材と下地材とに間に挿入される挿入片を備えた水切りを施工し、隙間及び水切りを覆って上下の外装材の接続箇所に化粧カバー材を施工して成ることを特徴とする外装材の施工構造。
【請求項３】
上の外装材の下端部に嵌合凹部が形成され、嵌合凹部に支持材の支持片を挿入して支持材を上の外装材の裏において下地材に固定して成ることを特徴とする請求項１又は２記載の外装材の施工構造。
【請求項４】
切除された断熱材の端面に折り曲げられた金属外皮の先端部と断熱材の裏面にわたってアルミニウム箔の粘着テープを貼って成ることを特徴とする請求項１又は２記載の外装材の施工構造。
【発明の詳細な説明】
【０００１】
【発明の属する技術分野】
本発明は、家屋の壁面を施工する外装材の施工構造に関し、詳しくは、家屋の壁面の一部分に施工される外装材の接続の工夫によって、家屋の躯体の上下方向の膨張・収縮に起因する外装材の割れや亀裂を防止するとともに、併せて外観を高めようとする技術に係るものである。
【０００２】
【従来の技術】
従来、家屋の外壁の施工は、１階から２階を含めた大壁を最下端から最上段までを例えば、アルミニウム板を金属外皮としたアルミサイディングを張り上げるのであり、この場合、嵌合凸部と嵌合凹部とを嵌合させる実結合をおこなうものである。
【０００３】
【発明が解決しようとする課題】
ところで、このような構成においては、家屋の躯体の膨張、特に収縮により外壁が膨れ、外装板の接続箇所に応力が集中して座屈して破壊されるという問題があった。特に、木造建築の新築物件において顕著である。
【０００４】
本発明はこのような問題に鑑みてなされたものであり、家屋の躯体の上下方向の膨張、特に収縮に起因する外装材の割れや亀裂を防止するとともに、併せて外観を高めることができる外装材の施工構造を提供することを課題とするものである。
【０００５】
【課題を解決するための手段】
請求項１においては、上下の外装材１，２の接続箇所の一方に嵌合凸部１０を、他方に嵌合凹部１１を形成した外装材の施工構造であって、家屋の壁面の一部分に施工される上下の外装材は断熱材の表に金属外皮を備え、少なくとも一方の外装材２の接続端部を切断して上下の外装材１，２の間に隙間ｄを形成し、下の外装材は金属外皮を残して一部の断熱材が除去されて切断され、残された金属外皮が折り曲げられて断熱材の除去端面を覆っており、上記隙間ｄにおいて下の外装材２の上端部を覆うとともに上の外装材１と下地材３とに間に挿入される挿入片４を備えた水切り５を施工し、隙間ｄ及び水切り５を覆って上下の外装材１，２の接続箇所に化粧カバー材６を施工していることを特徴とするものである。
【０００６】
このような構成によれば、家屋の壁面の一部に施工される外装材１，２間には隙間ｄが生じていて、家屋の躯体の膨張、特に収縮によって外装材１，２が強く突き合わされることがなく、外装材１，２を嵌合凸部１０と嵌合凹部１１とを凹凸嵌合させる施工をおこないながら、外壁の損傷を防止することができる。それでいて、隙間ｄにおいては、下の外装材２の上端部は水切り５にて覆われて雨仕舞いがなされ、かつ、隙間ｄは化粧カバー材６にて覆われて化粧カバー材６がアクセントとなって外壁の外観を高めることができる。
【０００７】
さらに上記外装材１，２は断熱材７の表に金属外皮８を備え、下の外装材２は金属外皮８を残して一部の断熱材７が除去されて切断され、残された金属外皮８が折り曲げられて断熱材７の除去端面を覆っているので、除去された断熱材７の上面には残された金属外皮８が被せられて断熱材７に対する雨仕舞いを、一層、良好におこなうことができる。
【０００８】
請求項２においては、外装材１，２は断熱材７の表に金属外皮８を備え、上の外装材１は金属外皮８を残して一部の断熱材７が除去されて切断され、残された金属外皮８が折り曲げられて断熱材７の除去端面を覆っていることを特徴とするものである。このような構成によれば、除去された断熱材７の下面には残された金属外皮８が被せられて断熱材７に対する雨仕舞いを、一層、良好におこなうことができる。
【０００９】
請求項３においては、上の外装材１の下端部に嵌合凹部１１が形成され、嵌合凹部１１に支持材１２の支持片９を挿入して支持材１２を上の外装材１の裏において下地材３に固定していることを特徴とするものである。
【００１０】
このような構成によれば、嵌合凹部１１に支持片９を挿入して上の外装材１を支持材１２にて支持することができ、上の外装材１の支持荷重を高めることができる。
【００１１】
請求項４においては、切除された断熱材７の端面に折り曲げられた金属外皮８の先端部と断熱材２の裏面にわたってアルミニウム箔の粘着テープ１８を貼っていることを特徴とするものである。このような構成によれば、折り曲げられた金属外皮８と断熱材７とのすきまの始端部を覆うことができて雨仕舞いを、一層、良好におこなうことができ、かつ、エッジ部分を無くすことができる。
【００１２】
【発明の実施の形態】
以下、本発明の実施の形態を説明する。図１（ａ）は要部の断面図、同図（ｂ）は作用を示す断面図である。図２（ａ）は水切りの側面図、同図（ｂ）は化粧カバー材の側面図である。
【００１３】
本発明においては、例えば、木造家屋の壁面を外装材１，２を上下に接続して施工するのであり、一部分の外装材１，２の接続の工夫によって、家屋の躯体の上下方向の膨張、特に収縮に起因する外装材１，２の割れや亀裂を防止するとともに、併せて外観を高めものである。以下、詳述する。
【００１４】
外装材１，２は同一であり、アルミニウム板を金属外皮８として断熱材７を裏打ちしたアルミサイディングである。外装材１，２の上端部には嵌合凸部１０が、下端部には嵌合凹部１１が形成されている。しかして、嵌合凸部１０と嵌合凹部１１とを嵌合させることで上下の外装材１，２を接続するとともに、胴縁１３に固定具１４を打ち込むことで固定して外壁の施工をおこなうのである。
【００１５】
図１（ａ）（ｂ）に示すように、下の外装材２は金属外皮８を残して一部の断熱材７が除去されて切断され、残された金属外皮８が折り曲げられて断熱材７の除去端面を覆い、上下の外装材１，２の間に隙間ｄを形成する。下の外装材２の上端部を覆う覆い片１５と挿入片１６を備えて略Ｚ字状に水切り５を形成している。しかして、隙間ｄにおいて、覆い片１５にて下の外装材２の切断された上端部を覆うとともに上の外装材１と下地材３とに間に挿入片１３を挿入して水切り５を施工するのである。更に、隙間ｄ及び水切り５を覆って上下の外装材１，２の接続箇所に化粧カバー材６を施工するのである。化粧カバー材６は固定具１４によって固定され、上端部にはシーリング剤１７が充填されてシールを図っている。水切り５は独立して胴縁１３にビスにて固定しておくとよい。
【００１６】
このような施工構造によれば、外装材１，２間には隙間ｄが生じていて、家屋の躯体の膨張、特に収縮によって外装材１，２が強く突き合わされることがなく、外装材１，２を嵌合凸部１０と嵌合凹部１１とを凹凸嵌合させる施工をおこないながら、外壁の損傷を防止することができるのである。それでいて、隙間ｄにおいては、下の外装材２の上端部は水切り５にて覆われて雨仕舞いがなされ、かつ、隙間ｄは化粧カバー材６にて覆われて化粧カバー材６がアクセントとなって外壁の外観を高めるのである。しかも、除去された断熱材７の上面には残された金属外皮８が被せられて断熱材７に対する雨仕舞いを、一層、良好におこなうのである。
【００１７】
図３は他の実施の形態を示し、但し、本実施の形態の基本構成は上記実施の形態と共通であり、共通する部分には同一の符号を付して説明は省略する。
【００１８】
本実施の形態においては、上の外装材１が金属外皮８を残して一部の断熱材７が除去されて切断され、残された金属外皮８が折り曲げられて断熱材７の除去端面を覆っているものである。
【００１９】
本実施の形態においては、上の外装材１において、除去された断熱材７の下面には残された金属外皮８が被せられて断熱材７に対する雨仕舞いを、一層、良好におこなうことができる。
【００２０】
図４は更に他の実施の形態を示し、但し、本実施の形態の基本構成は上記実施の形態と共通であり、共通する部分には同一の符号を付して説明は省略する。
【００２１】
本実施の形態においては、上の外装材１の下端部に嵌合凹部１１が形成され、嵌合凹部１１に支持材１２の支持片９を挿入して支持材１２を上の外装材１の裏において下地材３に固定している。
【００２２】
本実施の形態においては、嵌合凹部１１に支持片９を挿入して上の外装材１を支持材１２にて支持することができ、上の外装材１の支持荷重を高めることができる。
【００２３】
ところで、上記各実施の形態においては、切除された断熱材７の端面に折り曲げられた金属外皮８の先端部と断熱材２の裏面にわたってアルミニウム箔の粘着テープ１８を貼っている。このことから、折り曲げられた金属外皮８と断熱材７とのすきまを覆うことができて雨仕舞いを、一層、良好におこなうことができ、かつ、エッジ部分を無くすことができるものである。
【００２４】
図５は更に他の実施の形態を示し、但し、本実施の形態の基本構成は上記実施の形態と共通であり、共通する部分には同一の符号を付して説明は省略する。
【００２５】
本実施の形態においては、上下の外装材１，２のいずれをも切断したものである。
【００２６】
【発明の効果】
請求項１においては、上下の外装材の接続箇所の一方に嵌合凸部を、他方に嵌合凹部を形成した外装材の施工構造であって、家屋の壁面の一部分に施工される外装材の少なくとも一方の外装材の接続端部を切断して上下の外装材の間に隙間を形成し、隙間において下の外装材の上端部を覆うとともに上の外装材と下地材とに間に挿入される挿入片を備えた水切りを施工し、隙間及び水切りを覆って上下の外装材の接続箇所に化粧カバー材を施工しているから、家屋の壁面の一部に施工される外装材間には隙間が生じていて、家屋の躯体の膨張、特に収縮によって外装材が強く突き合わされることがなく、外装材を嵌合凸部と嵌合凹部とを凹凸嵌合させる施工をおこないながら、外壁の損傷を防止することができるという利点がある。それでいて、隙間においては、下の外装材の上端部は水切りにて覆われて雨仕舞いがなされ、かつ、隙間は化粧カバー材にて覆われて化粧カバー材がアクセントとなって外壁の外観を高めることができるという利点がある。
【００２７】
さらに上記外装材は断熱材の表に金属外皮を備え、下の外装材は金属外皮を残して一部の断熱材が除去されて切断され、残された金属外皮が折り曲げられて断熱材の除去端面を覆っているから、除去された断熱材の上面には残された金属外皮が被せられて断熱材に対する雨仕舞いを、一層、良好におこなうことができるという利点がある。
【００２８】
請求項２においては、外装材は断熱材の表に金属外皮を備え、上の外装材は金属外皮を残して一部の断熱材が除去されて切断され、残された金属外皮が折り曲げられて断熱材の除去端面を覆っているから、除去された断熱材の下面には残された金属外皮が被せられて断熱材に対する雨仕舞いを、一層、良好におこなうことができるという利点がある。
【００２９】
請求項３においては、上の外装材の下端部に嵌合凹部が形成され、嵌合凹部に支持材の支持片を挿入して支持材を上の外装材の裏において下地材に固定しているから、請求項１又は２の効果に加えて、嵌合凹部に支持片を挿入して上の外装材を支持材にて支持することができ、上の外装材の支持荷重を高めることができるという利点がある。
【００３０】
請求項４においては、切除された断熱材の端面に折り曲げられた金属外皮の先端部と断熱材の裏面にわたってアルミニウム箔の粘着テープを貼っているから、請求項１又２の効果に加えて、折り曲げられた金属外皮と断熱材とのすきまを覆うことができて雨仕舞いを、一層、良好におこなうことができ、かつ、エッジ部分を無くすことができるという利点がある。
【図面の簡単な説明】
【図１】本発明の実施の一形態を示し、（ａ）は要部の断面図、（ｂ）は作用を示す断面図である。
【図２】（ａ）は同上の水切りの側面図、（ｂ）は化粧カバー材の側面図である。
【図３】同上の他の実施の形態を示し、（ａ）は断面図、（ｂ）は作用を示す断面図である。
【図４】同上の更に他の実施の形態を示し、（ａ）は断面図、（ｂ）は作用を示す断面図、（ｃ）は支持材の側面図である。
【図５】同上の更に他の実施の形態の断面図である。
【符号の説明】
１  外装材
２  外装材
３  下地材
４  挿入片
５  水切り
６  化粧カバー材
【図１】
0003584805.tif 000002
【図２】
0003584805.tif 000003
【図３】
0003584805.tif 000004
【図４】
0003584805.tif 000005
【図５】
0003584805.tif 000006